【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
メダルの保留手段(104、312)と、
メダルを払い出すメダル払出手段(112、318)と、
前記メダルの保留手段から前記メダル払出手段へメダルを搬送する搬送手段(106、314)と、を有するメダル処理装置において、
前記搬送手段のメダル送出口(127、371)の下流に前記メダル払出手段及び真偽メダルを選別するメダル選別手段(108、316)を配置し、
さらに、前記メダル送出口と前記メダル選別手段との間に前記メダル払出手段又は前記メダル選別手段への振分手段(107、321)を配置し、
前記振分手段によって偽メダルを前記メダル払出手段に供給する以前に排除すること若しくは排除しないことを選択可能にしたことを特徴とするメダル選別手段を有するメダル処理装置。
【手続補正２】
【補正対象書類名】明細書
【補正対象項目名】発明の名称
【補正方法】変更
【補正の内容】
【発明の名称】メダル選別手段を有するメダル処理装置
【手続補正３】
【補正対象書類名】明細書
【補正対象項目名】０００８
【補正方法】変更
【補正の内容】
【０００８】
この目的を達成するため、本発明にかかるメダルの処理装置は以下のように構成されている。
すなわち、請求項１に記載のメダル処理装置は、メダルの保留手段と、メダルを払い出すメダル払出手段と、前記メダルの保留手段から前記メダル払出手段へメダルを搬送する搬送手段と、を有するメダル処理装置において、前記搬送手段のメダル送出口の下流に前記メダル払出手段及び真偽メダルを選別するメダル選別手段を配置し、さらに、前記メダル送出口と前記メダル選別手段との間に前記メダル払出手段又は前記メダル選別手段への振分手段を配置し、前記振分手段によって偽メダルを前記メダル払出手段に供給する以前に排除すること若しくは排除しないことを選択可能にしたことを特徴とするメダル選別手段を有するメダル処理装置である。
【手続補正４】
【補正対象書類名】明細書
【補正対象項目名】０００９
【補正方法】変更
【補正の内容】
【０００９】
本発明のメダル処理装置の第１の好ましい実施態様は、請求項１のメダル選別手段を有するメダル処理装置において、前記振分手段は前記メダル送出口の下方に位置する第２搬送手段及び前記第２搬送手段の逆送手段を含み、前記第２搬送手段の正転時の前記メダル送出口の下方に前記メダル選別手段が配置され、前記メダル選別手段で選別された正メダルは前記メダル払出手段に供給されることを特徴とする。
【手続補正５】
【補正対象書類名】明細書
【補正対象項目名】００１０
【補正方法】変更
【補正の内容】
【００１０】
本発明のメダル処理装置の第２の好ましい実施態様は、メダルの預入手段と、前記預入手段から受け取ったメダルを保留して払い出すメダル払出手段と、を有するメダル預入払出装置において、前記計数手段と前記メダル払出手段との間のメダル経路に真偽メダルを選別するメダル選別手段を配置し、さらに、前記メダル預入手段と前記メダル選別手段との間に前記メダル預入手段からのメダルを前記メダル選別手段若しくは前記メダル払出手段に振り分ける振分手段を配置し、前記振分手段によって偽メダルを前記メダル払出手段に供給する以前に排除すること若しくは排除しないことを選択可能にしたことを特徴とするメダル選別手段を有するメダル預入払出装置である。
【手続補正６】
【補正対象書類名】明細書
【補正対象項目名】００１１
【補正方法】変更
【補正の内容】
【００１１】
本発明のメダル処理装置の第３の好ましい実施態様は、メダルの預入口と、前記預入口から預け入れられたメダルを計数する計数手段と、前記計数手段で計数されたメダルを揚送する揚送手段と、前記揚送手段で搬送されたメダルを後述のメダル選別手段又は保留装置に選択的に振り分ける振分手段と、前記振分手段から受け取ったメダルの真偽を判別し、真正メダルを前記保留装置に供給するメダル選別手段と、後述の払出装置によって払い出されるメダルを保留する保留装置と、前記保留装置に保留されたメダルを払い出す払出装置と、を備えることを特徴とするメダル選別手段を有するメダル預入払出装置である。
【手続補正７】
【補正対象書類名】明細書
【補正対象項目名】００１２
【補正方法】変更
【補正の内容】
【００１２】
本発明のメダル処理装置の第４の好ましい実施態様は、下位に配置されたメダル保留手段と、前記メダル保留手段の上位に配置され、メダルを払い出すメダル払出手段と、前記メダル保留手段のメダルを前記メダル払出手段に搬送する搬送手段と、を有するメダル貸出機において、真偽メダルを選別するメダル選別手段を設け、前記搬送手段と前記メダル払出手段との間のメダル経路に後述のメダル選別手段若しくは前記メダル払出手段へ選択的にメダルの経路を振り分ける振分手段を配置し、前記メダル払出手段の払出前に前記メダル選別手段によって偽メダルを排除できるようにしたことを特徴とするメダル貸し機である。
【手続補正８】
【補正対象書類名】明細書
【補正対象項目名】００１３
【補正方法】変更
【補正の内容】
【００１３】
本発明のメダル処理装置の第５の好ましい実施態様は、請求項１または第１〜第３の好ましい実施態様のメダル選別手段を有するメダル処理装置において、前記メダル選別手段はメダル表面の模様を識別することを特徴とする。
【手続補正９】
【補正対象書類名】明細書
【補正対象項目名】００１４
【補正方法】変更
【補正の内容】
【００１４】
本発明のメダル処理装置の第６の好ましい実施態様は、第３の好ましい実施態様のメダル選別手段を有するメダル預入払出装置において、前記メダル選別手段は、所定の速度で移動する押動体と、前記押動体によって押動されるメダルを撮像する撮像装置と、前記押動体にメダルを一つずつ供給する整列供給装置と、前記押動体に押動される前記メダルを案内する案内体と、を含んでいることを特徴とする。
【手続補正１０】
【補正対象書類名】明細書
【補正対象項目名】００１５
【補正方法】変更
【補正の内容】
【００１５】
本発明のメダル処理装置の第７の好ましい実施態様は、第２または第３の好ましい実施態様のメダル選別手段を有するメダル預入払出装置において、前記揚送手段が間欠揚送手段であることを特徴とする。
【手続補正１１】
【補正対象書類名】明細書
【補正対象項目名】００１６
【補正方法】変更
【補正の内容】
【００１６】
本発明のメダル処理装置の第８の好ましい実施態様は、第７の好ましい実施態様のメダル選別手段を有するメダル預入払出装置において、間欠揚送手段が無端循環体に取り付けられたバケットであることを特徴とする。
【手続補正１２】
【補正対象書類名】明細書
【補正対象項目名】００１７
【補正方法】変更
【補正の内容】
【００１７】
本発明のメダル処理装置の第９の好ましい実施態様は、第３の好ましい実施態様のメダル選別手段を有するメダル預入払出装置において、メダル選別モード又は非選別モードの自動設定手段を有することを特徴とする。
【手続補正１３】
【補正対象書類名】明細書
【補正対象項目名】００１９
【補正方法】変更
【補正の内容】
【００１９】
本発明の第１の好ましい実施態様において、振分手段は搬送手段のメダル送出口の下方に位置する第２搬送手段を含み、当該第２搬送手段の正転又は逆転によってその振分方向が選択的に切換えられる。
具体的には、メダル選別手段が選択された場合、第２搬送手段は正転され、第２搬送手段上のメダルを正転方向へ搬送し、メダル選別手段に供給する。
これにより、保留手段から搬送手段によって供給されたメダルはメダル選別手段によって真偽を判別され、偽メダルは排除され、真正メダルのみがメダル払出手段に供給される。
よって、偽メダルはメダル払出手段に供給されないので、顧客に偽メダルを払い出すことがない利点を有する。
また、このメダル供給はメダルの預入と同期して高速でメダルを識別し、選別する必要がないので、比較的低速で識別及び選別ができる。
よって、識別処理速度が比較的遅い装置を使用できるので、装置が安価である利点を有する。
メダル払出手段が選択された場合、第２搬送手段は逆転され、第２搬送手段上のメダルを逆転方向へ搬送し、メダル払出手段に供給する。
これにより、メダル保留手段から供給された全てのメダルはメダル払出手段から払い出される。
よって、メダル選別手段が機能しない場合であっても、メダルの払出処理をすることができるので、不測の事態においてもメダル処理装置を稼働できる利点がある。
【手続補正１４】
【補正対象書類名】明細書
【補正対象項目名】００２０
【補正方法】変更
【補正の内容】
【００２０】
本発明の第２の好ましい実施態様において、メダル預入手段に預け入れられたメダルは振分手段によってメダル選別手段又はメダル払出手段に選択的に振り分けられる。
メダル選別手段に供給されたメダルは、メダル選別手段によって真偽を判別され、真正メダルはメダル払出手段に供給され、偽メダルは排除される。
これにより、メダル払出手段からは真正メダルのみが払い出される。
例えば、メダル選別手段が故障した場合、振分手段はメダル払出手段へ振り分けるよう切り替えられる。
預け入れられたメダルが振分手段によってメダル払出手段に供給された場合、真偽メダルが混在してメダル払出手段に供給される。
振分手段によってメダル選別手段にメダルを供給する場合、偽メダルはメダル選別手段によって選別され、かつ排除されるから偽メダルを顧客に払いだすことはない。
また、メダル選別手段が故障した場合であっても振分手段によってメダル払出手段にメダルを供給できるので、メダル預入払出装置を稼動できる利点がある。
【手続補正１５】
【補正対象書類名】明細書
【補正対象項目名】００２１
【補正方法】変更
【補正の内容】
【００２１】
本発明の第３の好ましい実施態様の発明において、メダル預入口に預け入れられたメダルは計数手段によって計数された後、揚送手段によって振分手段に供給される。
振分手段はメダル選別手段又は保留装置に選択的にメダルを振り分ける。
メダル選別手段に供給されたメダルは真正メダルと偽メダルに選別され、真正メダルは保留手段に供給された後、払出手段によって払い出される。
メダルは揚送手段によって上方に搬送することから、預入口を学童から大人までの顧客が投入しやすい高さに配置することができる。
また、預入口に投入されたメダルは直ぐに計数手段により高速計数されるので、顧客の待ち時間を短くできる。
さらに、メダル保留手段に保留される前にメダル選別手段によって偽メダルを排除でき、メダル保留手段に保留されない。
メダル保留手段に保留されたメダルが顧客に払いだされる。
よって、振分手段によってメダル選別手段にメダルを振り分ける場合、偽メダルが顧客に払いだされない利点がある。
さらに、揚送手段にて揚送したメダルをメダル選別手段で選別するので、計数手段と連動して選別する必要がなく、比較的低速度で選別することができる。
よって、比較的安価なメダル選別手段を採用できるので、メダル預入払出装置を安価に製造することができる。
さらにまた、メダル選別手段が故障した場合等においては、揚送手段により揚送したメダルをメダル選別手段を経由せずに払出装置に供給できるので、メダル預入払出装置の稼動を継続できる利点がある。
【手続補正１６】
【補正対象書類名】明細書
【補正対象項目名】００２２
【補正方法】変更
【補正の内容】
【００２２】
本発明の第４の好ましい実施態様において、下位に配置されたメダル保留手段から上位の振分手段へ揚送手段によって揚送される。
振分手段は、選択的にメダルをメダル選別手段又は払出手段に振り分ける。
振分手段によってメダル選別手段に振り分けられたメダルは、メダル選別手段によって真正メダルと偽メダルとに選別され、真正メダルは払出手段に供給され、偽メダルは排除される。
これにより、偽メダルが顧客に払いだされない利点がある。
さらに、揚送手段にて揚送したメダルをメダル選別手段で選別するので、計数手段と連動して選別する必要がなく、比較的低速度で選別することができる。
よって、比較的安価なメダル選別手段を採用できるので、メダル貸し機を安価に製造することができる。
さらに、メダル選別手段が故障した場合等においては、振分装置によって払出装置に供給できるので、メダル預入払出装置の稼動を継続できる利点がある。
【手続補正１７】
【補正対象書類名】明細書
【補正対象項目名】００２３
【補正方法】変更
【補正の内容】
【００２３】
本発明の第５の好ましい実施態様において、メダル選別手段はメダル表面の模様を識別する。
換言すれば、メダル表面を撮像してデジタル変換し、基準データと比較して真偽判別する。
よって各遊技場のメダル模様によって選別できるので、同一形状、同一材質のメダルであっても模様が異なれば選別できる利点がある。
【手続補正１８】
【補正対象書類名】明細書
【補正対象項目名】００２４
【補正方法】変更
【補正の内容】
【００２４】
本発明の第６の好ましい実施態様において、揚送手段から供給されたメダルは、振分手段を介してメダル選別手段において、整列供給装置によって一枚ずつ区分けされ、所定の速度で移動する押動体に供給される。
前記押動体によって押動されるメダルは一つずつ案内体によって案内されつつ移動される途中で撮像装置によって撮像される。
これにより、メダルは押動体によって積極的に押されているので、メダルの位置と撮像タイミングがずれることがない利点がある。
【手続補正１９】
【補正対象書類名】明細書
【補正対象項目名】００２５
【補正方法】変更
【補正の内容】
【００２５】
本発明の第７の好ましい実施態様において、メダルは揚送手段が間欠揚送手段であるので、メダルは間欠的にメダル選別手段に供給される。
メダル選別手段は次にメダルが送り込まれるまでにメダルを選別すればよい。
よって、メダル選別手段は比較的低速度でメダルの選別を行うことができるので、低価格の選別装置を使用することができる。
【手続補正２０】
【補正対象書類名】明細書
【補正対象項目名】００２６
【補正方法】変更
【補正の内容】
【００２６】
本発明の第８の好ましい実施態様において、メダルは無端循環体に取り付けられたバケットにより間欠的に搬送される。
間欠揚送手段が無端循環体に取り付けられたバケットにより構成されるから、構成が簡単であり、安価に製造できる。
【手続補正２１】
【補正対象書類名】明細書
【補正対象項目名】００２７
【補正方法】変更
【補正の内容】
【００２７】
本発明の第９の好ましい実施態様において、メダル選別モード又は非選別モードは自動設定手段によって自動的に設定される。
よって、振分手段の設定が自動的に行なわれるので設定の手間を要しない利点がある。
【手続補正２２】
【補正対象書類名】明細書
【補正対象項目名】００６０
【補正方法】変更
【補正の内容】
【００６０】
次にコントローラ116を説明する。
コントローラ116は、センサ119、120、286、288、290及び可動板検知装置297から信号を受け、内蔵ROMに記憶されたプログラムに基づいてリフタ124、振分手段107の駆動手段294、メダル選別手段108、メダル払出装置284、メダル送出手段118、横方向搬送装置122、価値媒体受入手段114及び表示手段165を制御する機能を有する。
コントローラ116は、例えばマイクロコンピュータである。
【手続補正２３】
【補正対象書類名】明細書
【補正対象項目名】０１７１
【補正方法】変更
【補正の内容】
【０１７１】
104、312  メダルの保留手段
112、318  メダル払出手段
106、314  搬送手段
127、371  メダル送出口
108、316  メダル選別手段
107、321  振分手段
125  搬送手段
132  整列供給装置
136  撮像装置
192  押動体
194  案内体
304  メダルの預入手段
328  メダルの預入口
332  計数手段
368  揚送手段
370  バケット
372  保留装置
374  払出装置
392  第２搬送手段
394  逆送手段